(57)【要約】【課題】２つのレーザダイオードからそれぞれ出射されるレーザ光を、ダイクロイックビームスプリッタや立上げミラーで一部反射させたり一部透過させたりすることなく、単一のフロントモニタで検出することができるようにした二波長対応光ピックアップを提供する。【解決手段】レーザダイオードＬＤ１，ＬＤ２からそれぞれ出射されるレーザ光を同一光路とする第１及び第２のダイクロイックビームスプリッタＤＢＳ１，ＤＢＳ２からのレーザ光の変更状態を変更する１／４波長板ＱＷＰの周縁部に、反射フレネル部４３を形成する。反射フレネル部は、１／４波長板に入射するレーザダイオードＬＤ１又はＬＤ２からのレーザ光のうち有効範囲外の光の一部を所定方向へ反射する。反射フレネル部で反射された光は、フロントモニタＦＭで検出される。【選択図】          図３
2004227681.tif 000002
【特許請求の範囲】
【請求項１】
第１及び第２のレーザダイオードと、これら第１及び第２のレーザダイオードから出射するレーザ光の光路を互いに一致させるための第１及び第２のダイクロイックビームスプリッタと、これらダイクロイックビームスプリッタからのレーザ光の偏光状態を変える波長板とを備えた二波長対応型の光ピックアップにおいて、
前記第１及び第２のダイクロイックビームスプリッタからのレーザ光の有効範囲外の光の一部を反射する反射フレネル素子を前記波長板に設けるとともに、当該反射フレネル素子によって反射されたレーザ光を受光するフロントモニタを設け、該フロントモニタの出力に基づいて前記第１及び第２のレーザダイオードの出力を制御できるようにしたことを特徴とする光ピックアップ。
【請求項２】
前記反射フレネル素子が、前記波長板の一面上に形成されていることを特徴とする請求項１に記載の光ピックアップ。
【請求項３】
前記波長板が一対の透明ガラス板又は透明樹脂板と、その間に挟み込まれた高分子誘電膜とを有し、前記反射フレネル素子が一方の透明ガラス板又は透明樹脂板の一面の周縁部に形成されていることを特徴とする請求項２に記載の光ピックアップ。
【請求項４】
前記波長板が水晶板からなり、前記反射フレネル素子が当該水晶版の一面の縁部に形成されていることを特徴とする請求項２に記載の光ピックアップ。
【発明の詳細な説明】
【０００１】
【発明の属する技術分野】
本発明は、光ピックアップに関し、特に、２種類の情報記録媒体に対して異なる波長の光を用いて情報の記録・再生を行う光ピックアップに関する。
【０００２】
【従来の技術】
一般に、光ディスク記録媒体に対して情報の記録・再生を行う光ピックアップにおいては、レーザダイオードから出射される記録・再生光の強さを適切に制御するために、フォトダイオード（フロントモニタ）及びＡＰＣ（Ａｕｔｏ  Ｐｏｗｅｒ  Ｃｏｎｔｒｏｌ）回路を用いたフィードバック制御が行われている。
【０００３】
互いに異なる波長の記録・再生光を発する２個のレーザダイオードを備え、２種類の光ディスク記録媒体（例えば、ＤＶＤとＣＤ）に対して情報を記録・再生することができる光ピックアップ（以下、二波長対応光ピックアップ。）の場合は、各レーザダイオードについて上記のようなフィードバック制御を行う必要がある。
【０００４】
従来の二波長対応光ピックアップは、２個のレーザダイオードからそれぞれ出射される記録・再生光をそれぞれ検出するために、２個のフォトダイオードを備えている。そして、各レーザダイオードから出射される記録・再生光の一部をビームスプリッタ等を用いて分岐させ、対応するフォトダイオードに入射させるようにしている。
【０００５】
また、装置全体の構成を簡素化するため、２個のレーザダイオードからそれぞれ出射される記録・再生光の一部を１個のフォトダイオードで検出するように構成した二波長対応光ピックアップも提案されている。この提案に係る二波長対応光ピックアップは、２つのレーザダイオードからそれぞれ出射される記録・再生光を光路合流ミラーを用いて単一の立ち上げミラーに入射させるよう構成されている。そして、この光路合流ミラーに入射する記録再生光の一部を、立ち上げミラーの存在する方向とは異なる方向へ透過又は反射させ、単一のフォトダイオードに入射させるようにしている（例えば、特許文献１又は２参照。）。
【０００６】
図１に、単一のフォトダイオードをフロントモニタとして備えた従来の二波長対応光ピックアップの一例を示す。この光ピックアップでは、第１のレーザダイオードＬＤ１から出射したレーザ光が、第１のグレーティングＧＲＴ１を介して第１のダイクロイックビームスプリッタＤＢＳ１に入射する。また、第２のレーザダイオードＬＤ２から出射したレーザ光は、光学レンズＬ及び第２のグレーティングＧＲＴ２を介して第２のダイクロイックビームスプリッタＤＢＳ２に入射する。ダイクロイックビームスプリッタＤＢＳ１，ＤＢＳ２にそれぞれ入射したレーザ光は、図の右方向へ向かって出射され、１／４波長板ＱＷＰ、立上げミラーＭＩＲ、コリメータレンズＣＬ、アパーチャＡＰ及び対物レンズＯＬを介して光ディスク記録媒体ＤＩＳＣ上に照射される。そして、その光ディスクＤＩＳＣからの反射光は、対物レンズＯＬ、アパーチャＡＰ、コリメータレンズＣＬ、立上げミラーＭＩＲ、１／４波長板ＱＷＰ、第１及び第２のダイクロイックビームスプリッタＤＢＳ１，ＤＢＳ２、及びセンサレンズＳＬを介して、受光素子ＰＤに入射する。
【０００７】
この光ピックアップでは、立上げミラーＭＩＲが、ダイクロイックビームスプリッタＤＢＳ１側から入射するレーザ光の一部を透過するよう構成されている。
そして、立上げミラーＭＩＲの裏面側には、透過したレーザ光を受光するフロントモニタＦＭが配置されている。このような構成によれば、単一のフロントモニタＦＭを用いて、２つのレーザダイオードＬＤ１，ＬＤ２からそれぞれ出射されたレーザ光の一部を共に検出することができ、両方のレーザダイオードＬＤ１，ＬＤ２の出力制御を行うことができる。
【０００８】
なお、フロントモニタＦＭは、図２に示すように、第１のダイクロイックビームスプリッタＤＢＳ１の側方（第１のレーザダイオードＬＤ１と反対の位置）に配置するようにしてもよい。この場合、立上げミラーＭＩＲは、全反射ミラーとすることができる。
【０００９】
ところで、レーザダイオードからの記録・再生光の一部をビームスプリッタや光路合流ミラー、あるいは立上げミラー等を用いてフロントモニタに入射させるようにすると、記録・再生光の利用効率が低下するという問題点を生じる。
【００１０】
レーザダイオードを１個しか持たない単一波長型光ピックアップの場合、レーザダイオードから出射される光のうち、記録・再生に関与しない光（有効範囲外の光）を凸レンズやホログラムパターン等を用いて光路変更して、フォトダイオードに入射させることにより、この問題を解決するすることができる（例えば、特許文献３参照。）。
【００１１】
また、ビームスプリッタの反射膜には、その反射率が製造バラツキを有し、かつ温度変化することにより波長が変わり反射率が変動するという問題点もある。
【００１２】
単一波長型光ピックアップの場合、前述のように、有効範囲外の光を利用することによりこの問題を解決できる。また、ビームスプリッタの反射膜の反射率に関係なく記録・再生光の強さを検出できるように、レーザダイオードからの記録・再生光を、プリズムの無反射コーディングが施されていない面に所定の入射角で入射させてその一部を反射させ、フォトダイオードに入射させるようにすることで、この問題を解決することもできる（例えば、特許文献４参照。）。
【００１３】
従来の二波長光ピックアップにおいても、２個のレーザダイオードにそれぞれ対応するフォトダイオードを備えている場合には、上記技術を適用することによって、ビームスプリッタ等を用いて記録・再生光の一部をフロントモニタに入射させたことによって生じる問題を解決することが可能である。
【００１４】
【特許文献１】
特開２００２−１０００５９号公報
【００１５】
【特許文献２】
特開２００２−１０００６８号公報
【００１６】
【特許文献３】
特開平１１−２７３１１９号公報
【００１７】
【特許文献４】
特開２０００−２１００１号公報
【００１８】
【発明が解決しようとする課題】
上述したように、レーザダイオードから出射される記録・再生光の一部を、ビームスプリッタ等を用いてフロントモニタに導くようにすると、記録・再生光の利用効率が低下するという問題点がある。また、ダイクロイックビームスプリッタや立上げミラーの反射膜（透過率及び／又は反射率）には波長依存性があるため、周囲の環境変化等によりレーザ光の波長が変化すると、フロントモニタに入射するレーザ光の光量が変化（検出精度が変化）するという問題点もある。
【００１９】
これらの問題点は、上述の特許文献１に記載された技術により解決可能であるが、それをそのまま二波長対応光ピックアップに適用したのでは、各レーザダイオードに対応するフォトダイオードが必要となるり、小型化の要求に応えられなくなる。つまり、単一のフロントモニタを備える二波長対応光ピックアップに関しては、小型化が優先され、未だ、上記のような問題点を解決するための提案は成されていない。
【００２０】
そこで、本発明は、２つのレーザダイオードから出射されるレーザ光を、ダイクロイックビームスプリッタや立上げミラーで一部反射させたり一部透過させたりすることなく、単一のフロントモニタで検出することができるようにした二波長対応光ピックアップを提供することを目的とする。
【００２１】
【課題を解決するための手段】
本発明によれば、第１及び第２のレーザダイオード（ＬＤ１，ＬＤ２）と、これら第１及び第２のレーザダイオードから出射するレーザ光の光路を互いに一致させるための第１及び第２のダイクロイックビームスプリッタ（ＤＢＳ１，ＤＢＳ２）と、これらダイクロイックビームスプリッタからのレーザ光の偏光状態を変える１／４波長板（ＱＷＰ）とを備えた二波長対応型の光ピックアップにおいて、前記第１及び第２のダイクロイックビームスプリッタ（ＤＢＳ１，ＤＢＳ２）からのレーザ光の有効範囲外の光の一部を反射する反射フレネル素子（４３，５２）を前記１／４波長板に設けるとともに、当該反射フレネル素子（４３，５２）によって反射されたレーザ光を受光するフロントモニタ（ＦＭ）を設け、該フロントモニタ（ＦＭ）の出力に基づいて前記第１及び第２のレーザダイオードの出力を制御できるようにしたことを特徴とする光ピックアップが得られる。
【００２２】
なお、上記括弧内の符号は、本発明の理解を容易にするためのものであって、何ら本発明を限定するものではない。
【００２３】
【発明の実施の形態】
以下、図面を参照して本発明の実施の形態について詳細に説明する。
【００２４】
図３に本発明の一実施の形態に係る光ピックアップの光学系の構成を示す。図３の光ピックアップは、第１の波長の第１のレーザ光を出射させる第１のレーザダイオードＬＤ１と、第１の波長とは異なる第２の波長の第２のレーザ光を出射させる第２のレーザダイオードＬＤ２と、光学レンズＬと、第１及び第２のグレーティングＧＲＴ１，ＧＲＴ２と、第１及び第２のダイクロイックビームスプリッタＤＢＳ１，ＤＢＳ２と、１／４波長板ＱＷＰと、立上げミラーＭＩＲと、コリメータレンズＣＬと、アパーチャＡＰと、対物レンズＯＬと、受光素子ＰＤと、フロントモニタＦＭとを有している。
【００２５】
次に、この光ピックアップの各光学要素の配置について説明する。
【００２６】
第１のレーザダイオードＬＤ１と第２のレーザダイオードＬＤ２は、それぞれが出射するレーザ光の光軸ＯＡ１，ＯＡ２が、所定の距離を置いて互いに平行となるよう、互いに逆向きに、かつ図の上下方向に離れて配置されている。
【００２７】
第１のグレーティングＧＲＴ１及び第１のダイクロイックビームスプリッタＤＢＳ１は、光軸ＯＡ１上に、この順序で配置されている。また、光学レンズＬ、第２のグレーティングＧＲＴ２及び第２のダイクロイックビームスプリッタＤＢＳ２は、光軸ＯＡ２上にこの順序で配置されている。
【００２８】
第１のダイクロイックビームスプリッタＤＢＳ１と第２のダイクロイックビームスプリッタＤＢＳ２とは、各々の反射膜が光軸ＯＡ１，ＯＡ２に対してそれぞれ４５度の角度を成し、そこで反射された第１及び第２のレーザ光の光軸が互いに一致して主光軸ＯＡ３を形成するように、隣接配置されている。
【００２９】
主光軸ＯＡ３上には、第１及び第２のダイクロイックビームスプリッタＤＳＢ１，ＤＳＢ２の右側に、１／４波長板ＱＷＰ及び立上げミラーＭＩＲが、この順序で配置されている。また、主光軸ＯＡ３上には、第１及び第２のダイクロイックビームスプリッタＤＳＢ１，ＤＳＢ２の左側に、受光素子ＰＤが配置されている。
【００３０】
立上げミラーＭＩＲは、その反射面が、主光軸ＯＡ３に対して４５度の角度を成すように配置されている。立上げミラーＭＩＲで反射された第１及び第２のレーザ光の光軸ＯＡ４上には、コリメータレンズＣＬ、アパーチャＡＰ及び対物レンズＯＬが、この順序で配置されている。
【００３１】
フロントモニタＦＭは、１／４波長板ＱＷＰで反射された第１及び第２のレーザ光の一部を受光できる位置に配置されている。
【００３２】
次に、各光学要素の作用（働き）について説明する。
【００３３】
第１のレーザダイオードＬＤ１は、第１の波長としてＤＶＤ用の波長約６５０ｎｍを持つ第１のレーザ光を出射する。他方、第２のレーザダイオードＬＤ２は、第２の波長としてＣＤ用の波長約７８０ｎｍを持つ第２のレーザ光を出射する。
【００３４】
第１のグレーティングＧＲＴ１は、第１のレーザダイオードＬＤ１から出射された第１のレーザ光のうち中央部の光（記録・再生及びその際のトラッキング制御に用いられるレーザ光、以下有効範囲内の光）を３本のレーザ光（中央の光束とその両側の２本の光束）に分割する。分割された３本のレーザ光のうち中央の光束は、光ディスクＤＩＳＣに対する記録・再生に用いられ、残りの２本（両側）の光束は、その際のトラッキング制御に用いられる。
【００３５】
第１のグレーティングＧＲＴ１は、また、第１のレーザ光のうちの周辺部の光（記録・再生及びその際のトラッキング制御のいずれにも用いられないレーザ光、以下有効範囲外の光）を透過させる。
【００３６】
第２のグレーティングＧＲＴ２は、第１のグレーティングＧＲＴ１と同様である。光学レンズＬは、この第２のグレーティングＧＲＴ２に入射する第２のレーザダイオードから出射されたレーザ光の広がり角を調節する。
【００３７】
第１のダイクロイックビームスプリッタＤＢＳ１は、第１のグレーティングＧＲＴ１側から光軸ＯＡ１に沿って入射する第１のレーザ光を全反射し、その進路方向を主光軸ＯＡ３に沿ったものに変え、１／４波長板ＱＷＰに入射させる。また、１／４波長板ＱＷＰ側から主光軸ＯＡ３に沿って入射する戻り光（光ディスクＤＩＳＣからの反射光）を透過させ、第２のダイクロイックビームスプリッタＤＢＳ２側へ出射する。さらに、この第１のダイクロイックビームスプリッタＤＢＳ１は、第２のダイクロイックビームスプリッタＤＢＳ２側から主光軸ＯＡ３に沿って入射する第２のレーザ光を透過させ、１／４波長板ＱＷＰに入射させる。
【００３８】
第２のダイクロイックビームスプリッタＤＢＳ２は、第２のグレーティングＧＲＴ２側から光軸ＯＡ２に沿って入射する第２のレーザ光を全反射し、その進路方向を主光軸ＯＡ３に沿ったものに変え、第１のダイクロイックビームスプリッタＤＢＳ１に入射させる。また、第１のダイクロイックビームスプリッタＤＢＳ１側から主光軸ＯＡ３に沿って入射する戻り光を透過させ、センサレンズＳＬに入射させる。
【００３９】
１／４波長板ＱＷＰは、例えば、図４又は図５に示すように構成されている。
【００４０】
図４の１／４波長板ＱＷＰは、一対の透明ガラス板又は透明樹脂板４１によって高分子誘電膜４２を挟み込んだものである。そして、一方の透明ガラス板又は透明樹脂板４１の一面の周縁部には、入射するレーザ光を所定方向に反射する反射フレネル部（反射フレネル素子）４３が形成されている。
【００４１】
図５の１／４波長板ＱＷＰは、直方体形状の水晶体５１からなり、その一面の周縁部には、反射フレネル部５２が形成されている。
【００４２】
いずれにしても、１／４波長板ＱＷＰは、第１のダイクロイックビームスプリッタＤＢＳ１側から入射するレーザ光のうち有効範囲外の光の一部を反射するように構成されている。
【００４３】
また、１／４波長板ＱＷＰの中央部は、そこに入射するレーザ光の偏光状態を変化させる（直線偏光の偏光方向を回転させる）。この１／４波長板ＱＷＰの働きにより、例えば、第１のダイクロイックビームスプリッタＤＢＳ１からこの１／４波長板ＱＷＰに入射するレーザ光がＰ偏光である場合に、光ディスクＤＩＳＣで反射された戻り光がＳ偏光となってダイクロイックビームスプリッタＤＢＳ１に入射し、そこ透過することができるようになる。
【００４４】
立上げミラーＭＩＲは、１／４波長板ＱＷＰ側から入射するレーザ光をコリメータレンズＣＬ側へ反射し、コリメータレンズＣＬ側から入射する戻り光を１／４波長板ＱＷＰ側へ反射する全反射ミラーである。
【００４５】
コリメータレンズＣＬは、立上げミラーＭＩＲで反射されたレーザ光を平行光に変換する。また、光ディスクＤＩＳＣで反射された戻り光を収束光に変換する。
【００４６】
アパーチャＡＰは、コリメータレンズＣＬからの平行光の一部を阻止し、残りを通過させることにより、対物レンズに入射するレーザ光の光量を調節する。
【００４７】
対物レンズＯＬは、アパーチャＡＰを通過したコリメータレンズＣＬからの平行光を光ディスクＤＩＳＣ上に集光照射する。
【００４８】
受光素子ＰＤは、光ディスクＤＩＳＣで反射され、対物レンズＯＬ、アパーチャＡＰ、コリメータレンズＣＬ、立上げミラーＭＩＲ、１／４波長板ＱＷＰ、及び第１及び第２のダイクロイックビームスプリッタＤＢＳ１，ＤＢＳ２を介して入射する戻り光を受光する。尚、光ディスクＤＩＳＣから反射した光が再び本１／４波長板ＱＷＰを通り、フロントモニタＦＭに入射しないように１／４波長板ＱＷＰの直後に遮蔽板ＳＣを設けることが望ましい。
【００４９】
フロントモニタＦＭは、１／４波長板ＱＷＰに形成された反射フレネル部４３（又は５２）からの反射光、即ち、第１のレーザ光のうちの有効範囲外の光の一部及び第２のレーザ光のうちの有効範囲外の光の一部を共に受光する。フロントモニタＰＤの検出出力は、図示しないＡＰＣ回路に供給され、第１及び第２のレーザダイオードＬＤ１，ＬＤ２の出力制御に利用される。
【００５０】
次に、図３の光ピックアップの動作について説明する。
【００５１】
光ディスクＤＩＳＣがＤＶＤの場合、第１のレーザダイオードＬＤ１が、第１のレーザ光を出射する。
【００５２】
第１のレーザダイオードＬＤ１から出射された第１のレーザ光は、第１のグレーティングＧＲＴ１に入射し、その中央部（有効範囲内の光）は３本の光束に分割され、周辺部（有効範囲外の光）はそのまま透過される。
【００５３】
第１のグレーティングから出射したレーザ光は、第１のダイクロイックビームスプリッタＤＢＳ１で全反射され、その中央部は、１／４波長板ＱＷＰ、立上げミラーＭＩＲ、コリメータレンズＣＬ、アパーチャＡＰ、及び対物レンズＯＬを介して光ディスクＤＩＳＣに照射される。また、第１のダイクロイックビームスプリッタＤＢＳ１で全反射されたレーザ光の周辺部の一部は、１／４波長板ＱＷＰの反射フレネル部４３（又は５２）で反射され、フロントモニタＦＭに入射する。
【００５４】
記録モードの場合は、以上のように動作し、再生モードの場合は、更に以下のように動作する。
【００５５】
即ち、光ディスクＤＩＳＣで反射された戻り光は、対物レンズＯＬ、コリメータレンズＣＬ、立上げミラーＭＩＲ、１／４波長板ＱＷＰ、及び第１及び第２のダイクロイックビームスプリッタＤＢＳ１，ＤＢＳ２を介して受光素子ＰＤによって受光される。
【００５６】
以上の動作の間、フロントモニタＦＭは、１／４波長板ＱＷＰの反射フレネル部４３（又は５２）で反射された光の光量に応じた検出信号を図示しないＡＰＣ回路に出力し続ける。ＡＰＣ回路は、フロントモニタＦＭからの検出信号に応じて、第１のレーザダイオードＬＤ１の駆動電圧を制御し、記録モード又再生モードに適した出力パワーとなるようにする。
【００５７】
光ディスクＤＩＳＣがＣＤである場合、第２のレーザダイオードＬＤ２が第２のレーザ光を出射する。
【００５８】
第２のレーザダイオードＬＤ２から出射された第２のレーザ光は、光学レンズＬにて広がり角の調整を受けた後、第２のグレーティングＧＲＴ２に入射する。
第２のグレーティングは、第１のグレーティングと同様に、入射するレーザ光の中央部を３本の光束に分割し、周辺部をそのまま透過させる。
【００５９】
第２のグレーティングから出射されたレーザ光は、第２のダイクロイックビームスプリッタＤＢＳ２で全反射され、その中央部は、第１のダイクロイックビームスプリッタＤＢＳ１、１／４波長板ＱＷＰ、立上げミラーＭＩＲ、コリメータレンズＣＬ、アパーチャＡＰ、及び対物レンズＯＬを介して光ディスクＤＩＳＣに照射される。また、第２のダイクロイックビームスプリッタＤＢＳ２で全反射されたレーザ光の周辺部の一部は、１／４波長板ＱＷＰの反射フレネル部４３（又は５２）で反射され、フロントモニタＦＭに入射する。
【００６０】
光ディスクＤＩＳＣで反射された戻り光は、対物レンズＯＬ、コリメータレンズＣＬ、立上げミラーＭＩＲ、１／４波長板ＱＷＰ、及び第１及び第２のダイクロイックビームスプリッタＤＢＳ１，ＤＢＳ２を介して受光素子ＰＤによって受光される。
【００６１】
以上の動作の間、フロントモニタＦＭは、１／４波長板ＱＷＰの反射フレネル部４３（又は５２）で反射された光の光量に応じた検出信号をＡＰＣ回路に出力し続ける。ＡＰＣ回路は、フロントモニタＦＭからの検出信号に応じて、第２のレーザダイオードＬＤ２の駆動電圧を制御し、記録モード又再生モードに適した出力パワーとなるようにする。
【００６２】
以上のように、本実施の形態による光ピックアップでは、１／４波長板ＱＷＰに反射フレネル部を設けることにより、各レーザダイオードＬＤ１，ＬＤ２から出射されるレーザ光のうち、記録・再生に関与しない有効範囲外の光の一部を単一のフロントモニタＦＤで検出することができる。
【００６３】
なお、本実施の形態では、第１のダイクロイックビームスプリッタＤＢＳ１で反射された光、又は第２のダイクロイックビームスプリッタで反射されかつ第１のダイクロイックビームスプリッタを透過した光をフロントモニタに入射させるようにしたため、周囲環境の変化による検出精度への影響を完全に除去することはできない。しかしながら、図１や図２に示す場合は、立ち上げミラー又は第１のダイクロイックビームスプリッタの反射膜が、入射した光を一部反射又は一部透過するよう構成されているのに対し、本実施の形態では、入射した光を全反射又は全透過するように構成されているので、周囲環境の変化による検出精度への影響は相対的に小さい。
【００６４】
【発明の効果】
本発明によれば、第１及び第２のダイクロイックビームスプリッタＤＢＳ１，ＤＢＳ２を用いて光路を一致させた後の第１及び第２のレーザダイオードからののレーザ光の偏光状態を変えるための１／４波長板に、そのレーザ光のうち有効範囲外の光の一部を所定方向に反射する反射フレネル部を設けたことで、部品点数を増加させることなく、また、各レーザダイオードからのレーザ光のうち有効範囲内の光の利用効率を低下させることなく、単一のフロントモニタを用いて、各レーザダイオードの出力制御を行うことができる。
【００６５】
また、本発明によれば、各レーザダイオードから出射したレーザ光を、ダイクロイックビームスプリッタ及び反射フレネル部で全反射してフロントモニタに入射させるようにしたことで、周囲環境の変化による影響を受け難く、精度よくレーザ光の光量を検出することができる。
【図面の簡単な説明】
【図１】従来の単一のフロントモニタを備えた二波長対応光ピックアップの光学系を示す図である。
【図２】従来の他の単一のフロントモニタを備えた二波長対応光ピックアップの光学系を示す図である。
【図３】本発明の一実施形態に係る二波長対応光ピックアップの光学系の構成を示す図である。
【図４】図３の光ピックアップに用いられる１／４波長板の一例の（ａ）正面図及び（ｂ）側面図である。
【図５】図３の光ピックアップに用いられる１／４波長板の他の例の（ａ）正面図及び（ｂ）側面図である。
【符号の説明】
ＬＤ１      第１のレーザダイオード
ＬＤ２      第２のレーザダイオード
Ｌ          光学レンズ
ＧＲＴ１    第１のグレーティング
ＧＲＴ２    第２のグレーティング
ＤＢＳ１    第１のダイクロイックビームスプリッタ
ＤＢＳ２    第２のダイクロイックビームスプリッタ
ＱＷＰ      １／４波長板
ＭＩＲ      立上げミラー
ＣＬ        コリメータレンズ
ＡＰ        アパーチャ
ＯＬ        対物レンズ
ＤＩＳＣ    光ディスク
ＳＬ        センサレンズ
ＰＤ        受光素子
ＦＭ        フロントモニタ
ＳＣ        遮蔽板
【図１】
2004227681.tif 000003
【図２】
2004227681.tif 000004
【図３】
2004227681.tif 000005
【図４】
2004227681.tif 000006
【図５】
2004227681.tif 000007